(57)【要約】      （修正有）【課題】ワイヤレス通信に於いて、グループキャストトラヒックの存在を通知するための方法および装置を提供する。【解決手段】グループキャストトラフィックをバッファした０個以上の基本サービスセット（ＢＳＳ）を示し、グループキャストトラフィックをバッファした少なくとも１つのＢＳＳを、個々のＢＳＳの識別子の１つまたは複数のビットを使用して識別するための、少なくとも１つの符号化サブフィールドを備える、部分仮想ビットマップフィールドを有する情報要素（ＩＥ）を含むフレームを生成する。また、このＩＥを含んでいるフレームを送信するためのインターフェースとを備える。【選択図】図８Ａ
2018110432.tif 000002
【特許請求の範囲】
【請求項１】
グループキャストトラフィックをバッファした０個以上の基本サービスセット（ＢＳＳ）を示す部分仮想ビットマップフィールドを有する情報要素（ＩＥ）とともにフレームを生成するように構成される処理システムと、ここにおいて、前記部分仮想ビットマップフィールドが、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力するためのインターフェースとを備える、ワイヤレス通信のための装置。
【請求項２】
前記個々のＢＳＳの前記識別子は、関連付け識別子または割当て識別子（ＡＩＤ）を備える、請求項１に記載の装置。
【請求項３】
前記処理システムは、前記ＩＥ中に含まれるページインデックスフィールドの１つまたは複数のビットの実際値ではなく、少なくとも１つのデフォルト値を有する前記個々のＢＳＳの前記識別子の１つまたは複数の最上位ビットを仮定するようにさらに構成される、請求項１に記載の装置。
【請求項４】
前記処理システムは、前記ＩＥ中に含まれるページインデックスフィールドの実際値ではなく、前記個々のＢＳＳの前記識別子の少なくとも２つの最上位ビットのために０のデフォルト値を仮定するようにさらに構成される、請求項１に記載の装置。
【請求項５】
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは前記単一のＡＩＤサブフィールドとともに使用され得る、請求項１に記載の装置。
【請求項６】
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールドまたは単一のＡＩＤサブフィールドに関連するＡＩＤ値が、デバイスのためのユニキャストトラフィックを示すかの指示を備える、請求項５に記載の装置。
【請求項７】
前記少なくとも１つの符号化サブフィールドは、デバイスの関連付け識別子または割当て識別子に先行する、請求項１に記載の装置。
【請求項８】
ワイヤレス通信のための装置であって、
情報要素（ＩＥ）を含んでいるフレームを受信するためのインターフェースと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定するように構成される処理システムとを備える、ワイヤレス通信のための装置。
【請求項９】
前記個々のＢＳＳの前記識別子は、関連付け識別子または割当て識別子（ＡＩＤ）を備える、請求項８に記載の装置。
【請求項１０】
前記処理システムは、前記ＩＥ中に含まれるページインデックスフィールドの全てのビットよりも少ないビットを使用して前記個々のＢＳＳの前記識別子をローカルに生成するようにさらに構成され、ここにおいて、前記判定は、前記ローカルに生成された識別子に基づく、請求項８に記載の装置。
【請求項１１】
前記処理システムは、前記ＩＥ中に含まれるページインデックスフィールドの１つまたは複数のビットの実際値ではなく少なくとも１つのデフォルト値を有する前記個々のＢＳＳの前記識別子の１つまたは複数の最上位ビットを仮定するようにさらに構成される、請求項８に記載の装置。
【請求項１２】
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記単一の関連付け識別子サブフィールドまたは単一のＡＩＤサブフィールドとともに使用され得、
前記処理システムは、前記単一の関連付け識別子サブフィールドもしくは単一のＡＩＤサブフィールド、ページインデックスフィールド、またはブロックオフセットフィールドのうちの少なくとも１つに基づいて前記個々のＢＳＳのＡＩＤをローカルに生成するように構成される、請求項８に記載の装置。
【請求項１３】
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールドまたは単一のＡＩＤサブフィールドに関連するＡＩＤ値が、デバイスのためのユニキャストトラフィックを示すかの指示を備え、
前記処理システムは、前記指示に基づいて、前記ＩＥ中に含まれるページインデックスフィールドの１つまたは複数のビットの、実際値ではなく、少なくとも１つのデフォルト値を使用して前記個々のＢＳＳの前記ＡＩＤをローカルに生成するように構成される、請求項１２に記載の装置。
【請求項１４】
前記処理システムは、前記ＩＥ中に含まれるページインデックスフィールドの１つまたは複数のビットの、実際値ではなく、少なくとも１つのデフォルト値を仮定し、前記仮定に基づいて前記個々のＢＳＳの関連付け識別子または割当て識別子（ＡＩＤ）をローカルに生成するようにさらに構成される、請求項８に記載の装置。
【請求項１５】
装置によるワイヤレス通信のための方法であって、
グループキャストトラフィックをバッファした０個以上の基本サービスセット（ＢＳＳ）を示す部分仮想ビットマップフィールドを有する情報要素（ＩＥ）とともにフレームを装置において生成することと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力することとを備える方法。
【請求項１６】
前記個々のＢＳＳの前記識別子は、関連付け識別子または割当て識別子（ＡＩＤ）を備える、請求項１５に記載の方法。
【請求項１７】
前記生成することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、請求項１５に記載の方法。
【請求項１８】
前記生成することは、前記ＩＥ中に含まれるページインデックスフィールドの実際値ではなく、前記個々のＢＳＳの前記識別子の少なくとも２つの最上位ビットのために０のデフォルト値を仮定することを備える、請求項１５に記載の方法。
【請求項１９】
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは単一のＡＩＤサブフィールドとともに使用され得る、請求項１５に記載の方法。
【請求項２０】
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールド単一のＡＩＤサブフィールドに関連するＡＩＤ値が、デバイスのためのユニキャストトラフィックを示すかの指示を備える、請求項１９に記載の方法。
【請求項２１】
前記少なくとも１つの符号化サブフィールドは、デバイスの関連付け識別子または割当て識別子に先行する、請求項１５に記載の方法。
【請求項２２】
情報要素（ＩＥ）を含んでいるフレームを装置において受信することと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定することとを備える、ワイヤレス通信のための方法。
【請求項２３】
前記個々のＢＳＳの前記識別子は、関連付け識別子または割当て識別子（ＡＩＤ）を備える、請求項２２に記載の方法。
【請求項２４】
前記判定することは、前記ＩＥ中に含まれるページインデックスフィールドの全てのビットよりも少ないビットを使用して前記個々のＢＳＳの前記識別子をローカルに生成することを備え、ここにおいて、前記判定は、前記ローカルに生成された識別子に基づく、請求項２２に記載の方法。
【請求項２５】
前記判定することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、請求項２２に記載の方法。
【請求項２６】
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは単一のＡＩＤサブフィールドとともに使用され得、
前記単一の関連付け識別子サブフィールド、前記単一のＡＩＤサブフィールド、ページインデックスフィールド、またはブロックオフセットフィールドのうちの少なくとも１つに基づいて前記個々のＢＳＳのＡＩＤをローカルに生成する、請求項２２に記載の方法。
【請求項２７】
前記符号化サブフィールドは、
前記単一の関連付け識別子サブフィールドまたは前記単一のＡＩＤサブフィールドに関連するＡＩＤ値が、前記個々のＢＳＳのためのバッファされたグループキャストトラフィックを示すか、それとも
前記単一の関連付け識別子サブフィールドまたは前記単一のＡＩＤサブフィールドに関連するＡＩＤ値が、デバイスのためのユニキャストトラフィックを示すかの指示を備え、
前記指示に基づいて、前記ＩＥ中に含まれるページインデックスフィールドの１つまたは複数のビットの、実際値ではなく、少なくとも１つのデフォルト値を使用して前記個々のＢＳＳの前記ＡＩＤをローカルに生成する、請求項２６に記載の方法。
【請求項２８】
前記判定することは、前記ＩＥ中に含まれるページインデックスフィールドの１つまたは複数のビットの、実際値ではなく、少なくとも１つのデフォルト値を仮定することを備え、前記仮定に基づいて前記個々のＢＳＳの関連付け識別子または割当て識別子（ＡＩＤ）をローカルに生成する、請求項２２に記載の方法。
【請求項２９】
グループキャストトラフィックをバッファした０個以上の基本サービスセット（ＢＳＳ）を示す部分仮想ビットマップフィールドを有する情報要素（ＩＥ）とともにフレームを生成するための手段と、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力するための手段とを備える、ワイヤレス通信のための装置。
【請求項３０】
前記生成することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、請求項２９に記載の装置。
【請求項３１】
前記符号化サブフィールドは、単一の関連付け識別子サブフィールドまたは割当て識別子（ＡＩＤ）サブフィールドを備え、
前記ＩＥがページインデックスフィールドとブロックオフセットフィールドをさらに備え、ここにおいて、前記ページインデックスフィールドと前記ブロックオフセットフィールドとが、前記個々のＢＳＳの前記ＡＩＤを生成するために前記単一の関連付け識別子サブフィールドまたは前記単一のＡＩＤサブフィールドとともに使用され得る、請求項２９に記載の装置。
【請求項３２】
前記少なくとも１つの符号化サブフィールドは、デバイスの関連付け識別子または割当て識別子に先行する、請求項２９に記載の装置。
【請求項３３】
ワイヤレス通信のための装置であって、
情報要素（ＩＥ）を含んでいるフレームを受信するための手段と、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定するための手段とを備える、ワイヤレス通信のための装置。
【請求項３４】
判定するための前記手段は、前記ＩＥ中に含まれるページインデックスフィールドの全てのビットよりも少ないビットを使用して前記個々のＢＳＳの前記識別子をローカルに生成し、ここにおいて、前記判定は、前記ローカルに生成された識別子に基づく、請求項３３に記載の装置。
【請求項３５】
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記単一の関連付け識別子サブフィールドまたは前記単一のＡＩＤサブフィールドとともに使用され得、
前記単一の関連付け識別子サブフィールド、前記単一のＡＩＤサブフィールド、ページインデックスフィールド、またはブロックオフセットフィールドのうちの少なくとも１つに基づいて前記個々のＢＳＳのＡＩＤをローカルに生成する、請求項３３に記載の装置。
【請求項３６】
判定するための前記手段は、前記ＩＥ中に含まれるページインデックスフィールドの１つまたは複数のビットの、実際値ではなく、少なくとも１つのデフォルト値を仮定し、前記仮定に基づいて前記個々のＢＳＳの関連付け識別子または割当て識別子（ＡＩＤ）をローカルに生成する、請求項３３に記載の装置。
【請求項３７】
コンピュータ可読媒体を備える装置によるワイヤレス通信のためのコンピュータプログラム製品であって、前記コンピュータ可読媒体は、
グループキャストトラフィックをバッファした０個以上の基本サービスセット（ＢＳＳ）を示す部分仮想ビットマップフィールドを有する情報要素（ＩＥ）とともにフレームを生成することと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力することとのための命令を有する、コンピュータプログラム製品。
【請求項３８】
コンピュータ可読媒体を備える装置によるワイヤレス通信のためのコンピュータプログラム製品であって、前記コンピュータ可読媒体は、
情報要素（ＩＥ）を含んでいるフレームを装置において受信することと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定することとを行うように実行可能な命令を有する、コンピュータプログラム製品。
【請求項３９】
少なくとも１つのアンテナと、
グループキャストトラフィックをバッファした０個以上の基本サービスセット（ＢＳＳ）を示す部分仮想ビットマップフィールドを有する情報要素（ＩＥ）とともにフレームを生成するように構成される処理システムと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを、前記少なくとも１つのアンテナを介して送信するように構成される送信機とを備える、アクセスポイント。
【請求項４０】
ワイヤレス局であって、
少なくとも１つのアンテナと、
情報要素（ＩＥ）を含んでいるフレームを、前記少なくとも１つのアンテナを介して受信するように構成される受信機と、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定するように構成される処理システムとを備える、ワイヤレス局。
【発明の詳細な説明】
【技術分野】
【０００１】
米国特許法第１１９条に基づく優先権の主張
[0001]  本出願は、両方とも本出願の譲受人に譲渡され、両方とも参照により本明細書に明確に組み込まれる、２０１４年４月２９日に出願された米国仮特許出願第６１／９８６，０５５号の利益を主張する、２０１５年３月３０日に出願された米国特許出願第１４／６７３，５８９号の優先権を主張する。
【０００２】
[0002]  本開示のいくつかの態様は、一般にワイヤレス通信に関し、より詳細には、ＴＩＭ符号化を用いた複数ＢＳＳＩＤに関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  より大きいカバレージおよび増加した通信範囲に対する要望に対処するために、様々な方式が開発されている。１つのそのような方式は、電気電子技術者協会（ＩＥＥＥ）８０２．１１ａｈタスクフォースによって開発されている（例えば、米国では９０２〜９２８ＭＨｚ範囲内で動作する）サブ１ＧＨｚ（sub-1-GHz）周波数範囲である。この開発は、他のＩＥＥＥ８０２．１１グループよりも大きいワイヤレス範囲を有し、より低い障害物損失を有する周波数範囲を利用する要望によって推進される。
【発明の概要】
【０００５】
[0005]  本開示のいくつかの態様は、ワイヤレス通信のための装置を提供する。本装置は、典型的には、グループキャストトラフィックをバッファした１つまたは複数の基本サービスセット（ＢＳＳ：basic service set）を示す部分仮想ビットマップフィールドを有する情報要素（ＩＥ：information element）とともにフレームを生成するように構成される処理システムと、ここにおいて、部分仮想ビットマップフィールドが、グループキャストトラフィックをバッファした少なくとも１つの個々のＢＳＳを、個々のＢＳＳの関連付け識別情報または割当て識別情報（ＡＩＤ：association identificationまたはassigned identification）の１つまたは複数のビットを使用して識別する少なくとも１つの符号化サブフィールドを備える、送信のためにＩＥを含んでいるフレームを出力するためのインターフェースとを含む。
【０００６】
[0006]  本開示のいくつかの態様は、ワイヤレス通信のための装置を提供する。本装置は、典型的には、情報要素（ＩＥ）を含んでいるフレームを受信するためのインターフェースと、グループキャストトラフィックをバッファした１つまたは複数の基本サービスセット（ＢＳＳ）を示すＩＥ中の部分仮想ビットマップフィールドに基づいて、本装置のためのバッファされたグループキャストトラフィックの存在を判定(determine)するように構成される処理システムとを含み、ここにおいて、ビットマップフィールドは、グループキャストトラフィックをバッファした少なくとも１つの個々のＢＳＳを、個々のＢＳＳの関連付け識別情報または割当て識別情報（ＡＩＤ）の１つまたは複数のビットを使用して識別する少なくとも１つの符号化サブフィールドを備える。
【０００７】
[0007]  本開示のいくつかの態様は、装置によるワイヤレス通信のための方法を提供する。本方法は、典型的には、グループキャストトラフィックをバッファした０個以上の基本サービスセット（ＢＳＳ）を示す部分仮想ビットマップフィールドを有する情報要素（ＩＥ）とともにフレームを装置において生成することと、ここにおいて、部分仮想ビットマップフィールドが、グループキャストトラフィックをバッファした少なくとも１つの個々のＢＳＳを、個々のＢＳＳの識別子の１つまたは複数のビットを使用して識別する少なくとも１つの符号化サブフィールドを備える、送信のためにＩＥを含んでいるフレームを出力することとを含む。
【０００８】
[0008]  本開示のいくつかの態様は、装置によるワイヤレス通信のための方法を提供する。本方法は、典型的には、情報要素（ＩＥ）を含んでいるフレームを装置において受信することと、ここにおいて、ＩＥが、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、個々のＢＳＳの識別子の１つまたは複数のビットを使用して識別する少なくとも１つの符号化サブフィールドとを備える、部分仮想ビットマップに基づいて装置のためのバッファされたグループキャストトラフィックの存在を判定(determine)し、この判定に基づいて、バッファされたグループキャストトラフィックを受信するために少なくとも１つの電力状態を変更すべきか否かを決定(decide)することとを含む。
【０００９】
[0009]  本開示のいくつかの態様は、ワイヤレス通信のための装置を提供する。本装置は、典型的には、グループキャストトラフィックをバッファした０個以上の基本サービスセット（ＢＳＳ）を示す部分仮想ビットマップフィールドを有する情報要素（ＩＥ）とともにフレームを生成するための手段と、ここにおいて、部分仮想ビットマップフィールドが、グループキャストトラフィックをバッファした少なくとも１つの個々のＢＳＳを、個々のＢＳＳの識別子の１つまたは複数のビットを使用して識別する少なくとも１つの符号化サブフィールドを備える、送信のためにＩＥを含んでいるフレームを出力するための手段とを含む。
【００１０】
[0010]  本開示のいくつかの態様は、ワイヤレス通信のための装置を提供する。本装置は、典型的には、情報要素（ＩＥ）を含んでいるフレームを受信するための手段と、ここにおいて、ＩＥが、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、個々のＢＳＳの識別子の１つまたは複数のビットを使用して識別する少なくとも１つの符号化サブフィールドとを備える、部分仮想ビットマップに基づいて装置のためのバッファされたグループキャストトラフィックの存在を判定(determine)し、この判定に基づいて、バッファされたグループキャストトラフィックを受信するために少なくとも１つの電力状態を変更すべきか否かを決定 (decide)することとを行うための手段とを含む。
【００１１】
[0011]  本開示のいくつかの態様は、ワイヤレス通信のためのコンピュータプログラム製品を提供する。コンピュータプログラム製品は、典型的には、グループキャストトラフィックをバッファした０個以上の基本サービスセット（ＢＳＳ）を示す部分仮想ビットマップフィールドを有する情報要素（ＩＥ）とともにフレームを生成することと、ここにおいて、部分仮想ビットマップフィールドが、グループキャストトラフィックをバッファした少なくとも１つの個々のＢＳＳを、個々のＢＳＳの識別子の１つまたは複数のビットを使用して識別する少なくとも１つの符号化サブフィールドを備える、送信のためにＩＥを含んでいるフレームを出力することとを行うための命令を有するコンピュータ可読媒体を備える。
【００１２】
[0012]  本開示のいくつかの態様は、ワイヤレス通信のためのコンピュータプログラム製品を提供する。コンピュータプログラム製品は、典型的には、情報要素（ＩＥ）を含んでいるフレームを装置において受信することと、ここにおいて、ＩＥが、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、個々のＢＳＳの識別子の１つまたは複数のビットを使用して識別する少なくとも１つの符号化サブフィールドとを備える、部分仮想ビットマップに基づいて装置のためのバッファされたグループキャストトラフィックの存在を判定(determine)し、この判定に基づいて、バッファされたグループキャストトラフィックを受信するために少なくとも１つの電力状態を変更すべきか否かを決定(decide)することとを行うための命令を有するコンピュータ可読媒体を備える。
【００１３】
[0013]  本開示のいくつかの態様は、アクセスポイントを提供する。アクセスポイントは、典型的には、少なくとも１つのアンテナと、グループキャストトラフィックをバッファした０個以上の基本サービスセット（ＢＳＳ）を示す部分仮想ビットマップフィールドを有する情報要素（ＩＥ）とともにフレームを生成するように構成される処理システムと、ここにおいて、部分仮想ビットマップフィールドが、グループキャストトラフィックをバッファした少なくとも１つの個々のＢＳＳを、個々のＢＳＳの識別子の１つまたは複数のビットを使用して識別する少なくとも１つの符号化サブフィールドを備える、送信のためにＩＥを含んでいるフレームを、少なくとも１つのアンテナを介して送信するように構成される送信機とを含む。
【００１４】
[0014]  本開示のいくつかの態様は、アクセスポイントを提供する。アクセスポイントは、典型的には、少なくとも１つのアンテナと、情報要素（ＩＥ）を含んでいるフレームを、少なくとも１つのアンテナを介して受信するように構成される受信機と、ここにおいて、ＩＥが、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、個々のＢＳＳの識別子の１つまたは複数のビットを使用して識別する少なくとも１つの符号化サブフィールドとを備える、部分仮想ビットマップに基づいて装置のためのバッファされたグループキャストトラフィックの存在を判定(determine)し、この判定に基づいて、バッファされたグループキャストトラフィックを受信するために少なくとも１つの電力状態を変更すべきか否かを決定(decide)するように構成される処理システムとを含む。
【００１５】
[0015]  いくつかの態様はまた、上記で説明したものに対応する動作を行うことが可能な様々な方法、装置、およびコンピュータプログラム製品を提供する。
【００１６】
[0016]  本開示の上記で具陳された特徴が詳細に理解され得るように、添付の図面にその一部が示された態様を参照することによって、上記で簡単に要約されたより具体的な説明が得られ得る。しかしながら、説明は他の等しく有効な態様を許容し得るので、添付の図面は、本開示のいくつかの典型的な態様のみを示し、従って、本開示の範囲を限定するものと見なされるべきではないことに留意されたい。
【図面の簡単な説明】
【００１７】
【図１】本開示のいくつかの態様による、例示的なワイヤレス通信ネットワークの図である。
【図２】本開示のいくつかの態様による、例示的なアクセスポイントおよびユーザ端末のブロック図である。
【図３】本開示のいくつかの態様による、例示的なワイヤレスデバイスのブロック図である。
【図４】本開示のいくつかの態様による、リレーシステムの例示的なツリー構造を示す図である。
【図５】本開示のいくつかの態様による、トラフィック指示マップ（ＴＩＭ：traffic indication map）の例示的な階層構造を示す図である。
【図６Ａ】本開示のいくつかの態様による、ブロック符号化モードのための部分仮想ビットマップの例示的な構造を示す図である。
【図６Ｂ】本開示のいくつかの態様による、ブロック符号化モードのための部分仮想ビットマップの例示的な構造を示す図である。
【図６Ｃ】本開示のいくつかの態様による、ブロック符号化モードのための部分仮想ビットマップの例示的な構造を示す図である。
【図６Ｄ】
【図７】本開示のいくつかの態様による、単一の関連付けＩＤ（ＡＩＤ）モードのための部分仮想ビットマップの例示的な構造を示す図である。
【図８】本開示のいくつかの態様による、ワイヤレス通信のための例示的な動作のブロック図である。
【図８Ａ】図８に示された動作を行うことが可能な例示的な手段を示す図である。
【図９】本開示のいくつかの態様による、ワイヤレス通信のための例示的な動作のブロック図である。
【図９Ａ】図９に示された動作を行うことが可能な例示的な手段を示す図である。
【図１０】本開示の態様による、部分仮想ビットマップの符号化ブロックのための例示的な構造を示す図である。
【発明を実施するための形態】
【００１８】
[0029]  本開示の態様は、部分仮想ビットマップ（ＰＶＢ：partial virtual bitmap）および複数基本サービスセットＩＤ（ＢＳＳＩＤ：basic service set ID）など、いくつかの選択的送信機構を伴う機構への拡張を提供する。トラフィック指示マップ（ＴＩＭ）情報要素（ＩＥ）の部分仮想ビットマップ（ＰＶＢ）において複数ＢＳＳＩＤの指示を提供することによって、関連付け識別情報（ＡＩＤ）を使用している間に複数ＢＳＳのためのサポートが提供され得る。
【００１９】
[0030]  本開示の様々な態様が、以下において添付の図面を参照してより完全に説明される。ただし、本開示は、多くの異なる形態で具現化され得、本開示全体にわたって提示されるどのような特定の構造または機能にも限定されるものと解釈されるべきでない。そうではなく、これらの態様は、本開示が周到で完全になり、本開示の範囲を当業者に十分に伝えるように提供される。本明細書の教示に基づいて、本開示の範囲は、本開示の他の態様とは無関係に実施されるにせよ、本開示の他の態様と組み合わされるにせよ、本明細書で開示する本開示のどのような態様をも包含するものであることを、当業者は諒解されたい。例えば、本明細書に記載された任意の数の態様を使用して装置が実施され得、または方法が実践され得る。さらに、本開示の範囲は、本明細書に記載された本開示の様々な態様に加えてまたはそれらの態様以外に、他の構造、機能、または構造および機能を使用して実践されるそのような装置または方法を包含するものである。本明細書で開示する本開示のどのような態様も、請求項の１つまたは複数の要素によって具現化され得ることを理解されたい。
【００２０】
[0031]  特定の態様が本明細書において説明されるが、これらの態様の多くの変形および置換が本開示の範囲内に入る。好適な態様のいくつかの利益および利点が説明されるが、本開示の範囲は特定の利益、使用、または目的に限定されることを意図されない。むしろ、本開示の態様は、様々なワイヤレス技術、システム構成、ネットワーク、および送信プロトコルに広く適用可能であるものであり、それらのいくつかを例として、図において、および好適な態様についての以下の説明において示す。詳細な説明および図面は、限定的ではなく、本開示の例示にすぎず、本開示の範囲は、添付の特許請求の範囲とそれの均等物とによって定義される。
【００２１】
例示的なワイヤレス通信システム
[0032]  本明細書において説明される技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有可能にし得、各タイムスロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれ得る。ＯＦＤＭでは、各サブキャリアが独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、周波数領域においてＯＦＤＭで、時間領域においてＳＣ−ＦＤＭＡで送られる。
【００２２】
[0033]  本明細書の教示は、様々なワイヤードまたはワイヤレス装置（例えば、ノードまたはデバイス）に組み込まれ得る（例えば、その装置内において実施されるか、またはその装置によって行われ得る）。いくつかの態様では、本明細書の教示に従って実施されるワイヤレスノードが、アクセスポイントまたはアクセス端末を備え得る。
【００２３】
[0034]  アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実施されるか、あるいはそれらとして知られ得る。
【００２４】
[0035]  アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらとして実施されるか、あるいはそれらとして知られ得る。いくつかの実施形態では、アクセス端末が、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。従って、本明細書で教示する１つまたは複数の態様は、電話（例えば、セルラーフォンまたはスマートフォン）、コンピュータ（例えば、ラップトップ）、タブレット、ポータブル通信デバイス、ポータブルコンピューティングデバイス（例えば、携帯情報端末）、エンターテインメントデバイス（例えば、音楽またはビデオデバイス、あるいは衛星ラジオ）、全地球測位システム（ＧＰＳ）デバイス、あるいはワイヤレスまたはワイヤード媒体を介して通信するように構成される任意の他の好適なデバイスに組み込まれ得る。いくつかの態様では、ノードがワイヤレスノードである。そのようなワイヤレスノードは、例えば、ワイヤードまたはワイヤレス通信リンクを介した、ネットワーク（例えば、インターネットまたはセルラーネットワークなど、ワイドエリアネットワーク）のための、またはネットワークへの接続性を提供し得る。
【００２５】
[0036]  図１は、アクセスポイントとユーザ端末とをもつ多元接続多入力多出力（ＭＩＭＯ）システム１００を示す。簡単にするために、図１には１つのアクセスポイント１１０だけが示されている。アクセスポイントは、概して、ユーザ端末と通信する固定局であり、基地局または何らかの他の用語で呼ばれることもある。ユーザ端末は、固定また移動であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０は、アクセスポイントに結合し、アクセスポイントの調整と制御とを行う。
【００２６】
[0037]  以下の開示の部分は、空間分割多元接続（ＳＤＭＡ）によって通信することが可能なユーザ端末１２０を説明するが、いくつかの態様では、ユーザ端末１２０が、ＳＤＭＡをサポートしないいくつかのユーザ端末も含み得る。従って、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２７】
[0038]  システム１００は、ダウンリンクおよびアップリンク上でのデータ送信のために複数の送信アンテナおよび複数の受信アンテナを採用する。アクセスポイント１１０は、Ｎap個のアンテナを装備し、ダウンリンク送信で多入力（ＭＩ）を表し、アップリンク送信で多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡでは、Ｋ個のユーザ端末のためのデータシンボルストリームが、何らかの手段によって、コード、周波数または時間において多重化されない場合、Ｎap≧Ｋ≧１を有することが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、ユーザ固有のデータをアクセスポイントに送信し、および／またはアクセスポイントからユーザ固有のデータを受信する。概して、各選択されたユーザ端末は１つまたは複数のアンテナを装備し得る（すなわち、Ｎut≧１）。Ｋ個の選択されたユーザ端末は、同じまたは異なる数のアンテナを有することができる。
【００２８】
[0039]  ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末は、（例えば、コストを抑えるために）単一のアンテナを装備するか、または（例えば、追加のコストがサポートされ得る場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００２９】
[0040]  図２は、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクで送信エンティティであり、アップリンクでは受信エンティティである。各ユーザ端末１２０は、アップリンクで送信エンティティであり、ダウンリンクで受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」がダウンリンクを示し、下付き文字「ｕｐ」がアップリンクを示し、Ｎup個のユーザ端末がアップリンク上での同時送信のために選択され、Ｎdn個のユーザ端末がダウンリンク上での同時送信のために選択され、ＮupはＮdnに等しいことも等しくないこともあり、ＮupおよびＮdnは、静的な値であるかまたはスケジュール間隔ごとに変化することができる。アクセスポイントおよびユーザ端末において、ビームステアリングまたは何らかの他の空間処理技法が使用され得る。
【００３０】
[0041]  アップリンク上では、アップリンク送信のために選択された各ユーザ端末１２０において、送信（ＴＸ）データプロセッサ２８８が、データソース２８６からトラフィックデータを受信し、コントローラ２８０から制御データを受信する。ＴＸデータプロセッサ２８８は、ユーザ端末のために選択されたレートに関連するコーディングおよび変調方式に基づいて、ユーザ端末のためにトラフィックデータを処理（例えば、符号化、インターリーブ、および変調）し、データシンボルストリームを提供する。ＴＸ空間プロセッサ２９０は、データシンボルストリームに対して空間処理を行い、Ｎut,m個のアンテナにＮut,m個の送信シンボルストリームを提供する。各送信機ユニット（ＴＭＴＲ）２５４は、それぞれの送信シンボルストリームを受信し、処理（例えば、アナログへの変換、増幅、フィルタ処理、および周波数アップコンバート）してアップリンク信号を生成する。Ｎut,m個の送信機ユニット２５４は、Ｎut,m個のアンテナ２５２からアクセスポイントへの送信のためのＮut,m個のアップリンク信号を提供する。
【００３１】
[0042]  アップリンク上の同時送信のために、Ｎup個のユーザ端末がスケジューリングされ得る。これらのユーザ端末の各々は、それのデータシンボルストリームに対して空間処理を行い、アップリンク上で送信シンボルストリームのそれのセットをアクセスポイントに送信する。
【００３２】
[0043]  アクセスポイント１１０において、Ｎap個のアンテナ２２４ａ〜２２４ａｐは、アップリンク上で送信している全てのＮup個のユーザ端末からアップリンク信号を受信する。各アンテナ２２４は、受信信号をそれぞれの受信機ユニット（ＲＣＶＲ）２２２に提供する。各受信機ユニット２２２は、送信機ユニット２５４によって行われた処理を補足する処理を行い、受信シンボルストリームを提供する。ＲＸ空間プロセッサ２４０は、Ｎap個の受信機ユニット２２２からのＮap個の受信シンボルストリームに対して受信機空間処理を行い、Ｎup個の復元アップリンクデータシンボルストリームを提供する。受信機空間処理は、チャネル相関行列反転（ＣＣＭＩ）、最小平均２乗誤差（ＭＭＳＥ）、ソフト干渉消去（ＳＩＣ）、または何らかの他の技法に従って行われる。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに従って各復元アップリンクデータシンボルストリームを処理（例えば、復調、デインターリーブ、および復号）する。各ユーザ端末のための復号データは、記憶のためにデータシンク２４４に提供され、および／またはさらなる処理のためにコントローラ２３０に提供され得る。
【００３３】
[0044]  ダウンリンク上では、アクセスポイント１１０において、ＴＸデータプロセッサ２１０は、ダウンリンク送信のためにスケジュールされたＮdn個のユーザ端末のためにデータソース２０８からトラフィックデータを受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためにトラフィックデータを処理（例えば、符号化、インターリーブ、および変調）する。ＴＸデータプロセッサ２１０は、Ｎdn個のダウンリンクデータシンボルストリームをＮdn個のユーザ端末に提供する。ＴＸ空間プロセッサ２２０は、Ｎdn個のダウンリンクデータシンボルストリームに対して（本開示で説明されるようなプリコーディングまたはビームフォーミングなどの）空間処理を行い、Ｎap個の送信シンボルストリームをＮap個のアンテナに提供する。各送信機ユニット２２２は、それぞれの送信シンボルストリームを受信し、処理してダウンリンク信号を生成する。Ｎap個のアンテナ２２４からユーザ端末への送信のためのＮap個のダウンリンク信号を提供している、Ｎap個の送信機ユニット２２２。
【００３４】
[0045]  各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを提供する。ＲＸ空間プロセッサ２６０は、Ｎut,m個の受信機ユニット２５４からのＮut,m個の受信シンボルストリームに対して受信機空間処理を行い、復元ダウンリンクデータシンボルストリームをユーザ端末に提供する。受信機空間処理は、ＣＣＭＩ、ＭＭＳＥまたは何らかの他の技法に従って行われる。ＲＸデータプロセッサ２７０は、復元ダウンリンクデータシンボルストリームを処理（例えば、復調、デインターリーブ、および復号）して、ユーザ端末のための復号データを取得する。
【００３５】
[0046]  各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を提供する。同様に、チャネル推定器２２８は、アップリンクチャネル応答を推定し、アップリンクチャネル推定値を提供する。各ユーザ端末のためのコントローラ２８０は、典型的には、ユーザ端末のための空間フィルタ行列を、そのユーザ端末のためのダウンリンクチャネル応答行列Ｈdn,mに基づいて導出する。コントローラ２３０は、アクセスポイントのための空間フィルタ行列を、実効アップリンクチャネル応答行列Ｈup,effに基づいて導出する。各ユーザ端末のためのコントローラ２８０は、フィードバック情報（例えば、ダウンリンクおよび／またはアップリンク固有ベクトル、固有値、ＳＮＲ推定値など）をアクセスポイントに送り得る。コントローラ２３０およびコントローラ２８０はまた、それぞれアクセスポイント１１０およびユーザ端末１２０における様々な処理ユニットの動作を制御する。
【００３６】
[0047]  図３は、ＭＩＭＯシステム１００内で採用され得るワイヤレスデバイス３０２において利用され得る様々な構成要素を示す。ワイヤレスデバイス３０２は、本明細書において説明される様々な方法を実施するように構成され得るデバイスの一例である。ワイヤレスデバイス３０２はアクセスポイント１１０またはユーザ端末１２０であり得る。
【００３７】
[0048]  ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令およびデータをプロセッサ３０４に提供する。メモリ３０６の一部は、不揮発性ランダムアクセスメモリ（ＮＶＲＡＭ）をも含み得る。プロセッサ３０４は、典型的には、メモリ３０６内に記憶されたプログラム命令に基づいて論理演算と算術演算とを行う。メモリ３０６中の命令は、本明細書において説明される方法を実施するように実行可能であり得る。
【００３８】
[0049]  ワイヤレスデバイス３０２は、ワイヤレスデバイス３０２と遠隔地との間のデータの送信および受信を可能にするために送信機３１０と受信機３１２とを含み得るハウジング３０８を含み得る。送信機３１０および受信機３１２は、トランシーバ３１４へと組み合わされ得る。単一または複数の送信アンテナ３１６は、ハウジング３０８に取り付けられ、トランシーバ３１４に電気的に結合され得る。ワイヤレスデバイス３０２は、複数の送信機、複数の受信機、および複数のトランシーバをも含み得る（図示せず）。
【００３９】
[0050]  ワイヤレスデバイス３０２はまた、トランシーバ３１４によって受信された信号のレベルを検出し定量化するために使用され得る信号検出器３１８を含み得る。信号検出器３１８は、そのような信号を、総エネルギー、シンボルごとのサブキャリア当たりのエネルギー、電力スペクトル密度、および他の信号として検出し得る。ワイヤレスデバイス３０２はまた、信号を処理するのに使用するためのデジタル信号プロセッサ（ＤＳＰ）３２０を含み得る。
【００４０】
[0051]  ワイヤレスデバイス３０２の様々な構成要素は、データバスに加えて、電力バスと、制御信号バスと、ステータス信号バスとを含み得る、バスシステム３２２によって互いに結合され得る。
【００４１】
例示的なターゲット待ち時間フローＩＤシグナリング
[0052]  リレーとして低電力デバイスを利用するリレーシステムでは、電力消費量を低減するために可能なときはいつでもリレーが低電力モード（例えば、１つまたは複数の構成要素が電源切断されるスリープ）に入ることを可能にすることが望ましいことがある。さらに、コストを低く抑えるために、限られたメモリのみをもつリレーを使用することが望ましいことがある。従って、リレーは、少量のデータのみをバッファすることが可能であり得、さらに受信することが可能になる前にデータを転送する必要があり得る。
【００４２】
[0053]  図４に示されているシステムなどのマルチホップリレーシステムで、これは、電力を節約し、およびデバイスがデータを中継するために適時にアウェイクしていることを依然として保証するための方法に関して、いくつかの課題を提示し得る。概して、ＡＰ４１０とリーフＳＴＡ４２０との間の全てのリレー４３０（Ｒ１〜Ｒ５）は、データを小さいチャンク中で送信する（中継する）ために、低電力状態から迅速に出る（アウェイクする）ことが可能である必要があり得る。
【００４３】
[0054]  本明細書で提示する技法は、デバイスが電力を節約し、限られた量のメモリで動作することを可能にする、上記の２つの目的を達成する電力節約プロトコルの一部と見なされ得る。いくつかの態様によれば、ＡＰと局との間の直接通信における使用のためのいくつかの規格（例えば、８０２．１１ａｈ）においてすでに定義された様々な機構は、リレーシステムにおける使用のために修正および拡張され得る。
【００４４】
[0055]  ＩＥＥＥ８０２．１１ａｈなど、様々なシステムでは、アクセスポイント（ＡＰ）４１０と局４２０との間にリレーデバイス４３０を利用することの動機があり得る。例えば、９００ＭＨｚ（または他の「サブ１ＧＨｚ）キャリアをもつ潜在的に増加したダウンリンク（ＤＬ）範囲の場合でも、それは、リモートセンサーを伴う適用例、またはＡＰからＳＴＡへの経路に障害物があるシナリオでは不十分であり得るので、リレーの使用が望ましいことがある。アップリンク上で、ＳＴＡはＡＰよりも大幅に低い送信電力を有することがあり、従って、ＳＴＡはＡＰに達することが不可能であり得る。
【００４５】
[0056]  そのようなシステムの重要な特性は、図４に示されているように、ツリー構造を使用するマルチホップリレーの使用を含み得る。リレーノードは、親ノードに接続する非ＡＰ−ＳＴＡ（例えば、行動する能力がないかまたはＡＰとして現在行動していないいずれかの局）、または子ノードによる関連付けを可能にするＡＰ−ＳＴＡなど、任意の好適なエンティティによって形成され得る。ノード間セキュリティは、例えば、ノードの各ペア間のＰＳＫの構成によって保証され得る。リレーノードは、バックワードラーニングブリッジとともに４アドレスフォーマットをサポートし得る。場合によっては、例えば、より良い「親ノード」に接続することが可能なリレーノードを用いて、自動構成および再構成が達成され得る。リレーノードは、このようにして、親ノードへのリンクの健康状態を監視し得る。
【００４６】
[0057]  以下でより詳細に説明されるように、リレーノードはまた、バッテリー電力を節約するために低電力状態（例えば、無線構成要素が電源切断されたスリープモード）に入るように構成され得る。場合によっては、リレーノードは、リレーノードがその間にデータを送信および受信し得る、スケジュールされたウェイクアップ期間で構成され得る。しかしながら、電力を節約するために、ウェイクアップ期間ごとに低電力状態から出るのではなく、１つまたは複数の条件が満たされたとき（例えば、リレーノードが送信または受信すべきデータがあるという指示があったとき）のみ、リレーは低電力状態から出ることを決定(decide)し得る。
【００４７】
[0058]  概して、ＡＰおよびＳＴＡは、同様の（例えば、対称的または相補的）動作を行い得る。従って、本明細書において説明される技法の多くについて、ＡＰまたはＳＴＡは同様の動作を行い得る。そのために、以下の説明では、動作がいずれによっても行われ得ることを反映するために、「ＡＰ／ＳＴＡ」と時々言う。とはいえ、「ＡＰ」または「ＳＴＡ」のみが使用される場合でも、それは、対応する動作または機構がそのタイプのデバイスに限定されることを意味しないことを理解されたい。
【００４８】
トラフィック指示マップ
[0059]  多くの局が時間ほとんどで低電力状態にとどまるシステムでは、どの局がトラフィックを有するか（従って、そのトラフィックを受信するためにアウェイクすべきであるか）を示すためにトラフィック指示マップ（ＴＩＭ）が提供され得る。ＩＥＥＥ８０２．１１規格には、スリープしているリスニング局に、ＡＰがそれのための何らかのバッファされたフレームを有するかどうかを示すためにビットマップを使用する、ＴＩＭ情報要素（ＩＥ）が記載されている。対応するビットマップを用いたこのＴＩＭ  ＩＥは、典型的にはＡＰのビーコン上で送られ、ビットマップ中の各ビットは局の関連付けＩＤ（ＡＩＤ）に対応する。場合によっては、ＡＰは、例えば、ほんの少数の局がスリープすることをＡＰが予想する場合、より小さいＴＩＭビットマップを送信し得る。この場合、部分仮想ビットマップと呼ばれるものにおいて、ビットマップ値のサブセットのみが搬送され得る。部分仮想ビットマップに対応するＡＩＤ値の範囲を搬送するためにＴＩＭ情報要素のビットマップ制御および長さフィールドが使用される。
【００４９】
[0060]  場合によっては、ビットとＡＩＤとの間の１対１マッピングを提供するのではなく、階層的手法が使用され得る。例えば、図５の図５００に示されているように、全ＡＩＤ空間は階層的に小さいブロックに分割され得、非０値をもつブロックのみが送信され得る。この手法は、比較的大きいＡＩＤ空間のＴＩＭがＳＴＡの小さいグループに分解されることを可能にし、これは保守するのがより容易であり得る。図示のように、３レベル階層は、ページと、ページ内のブロックと、ブロック内のサブブロックとを含み得る（例えば、各サブブロックは８つの個々の局に対応する）。
【００５０】
[0061]  図６Ａは、本開示のいくつかの態様による、そのような階層構造のための部分仮想ビットマップの例示的な６００Ａ構造を示す。図示のように、構造６００Ａは可変長符号化ブロックサブフィールドを有し得る。図６Ｂに示されているように、各符号化ブロックサブフィールド６００Ｂは、ブロック制御サブフィールドと、ブロックオフセットサブフィールドと、符号化ブロック情報サブフィールドとを有し得る。図６Ｃに示されているように、ブロック制御サブフィールド６００Ｃは、符号化ブロックフィールドにおいてどのようなタイプの符号化モードが使用されるかを示し得、例示的な符号化タイプが図６Ｄの表６００Ｄに示されている。図示のように、単一のＡＩＤ符号化モードが使用され得る。
【００５１】
[0062]  図７は、符号化ブロック情報サブフィールドのための例示的な構造７００を示し、ここでは単一のＡＩＤ符号化モードが使用される。図示のように、単一のＡＩＤ符号化モードでは、符号化ブロック情報サブフィールドが、ブロック中に示されるＡＩＤの６ビット（例えば、６つの最下位ビット）を含んでいる単一のＡＩＤサブフィールドを含み得、残りのビットは予約済みであり得る。部分仮想ビットマップ中に含まれる他の情報とともに単一のＡＩＤサブフィールドの値は、特定の局のＡＩＤによって識別されるその特定の局のためにバッファされたユニキャストトラフィックがあることを示す。局のＡＩＤは、最下位ビットから最上位ビットへの順序で、単一のＡＩＤサブフィールドと、ブロックオフセットフィールドと、ページインデックスフィールドとを連結することによって取得され得る。
【００５２】
トラフィック指示マップ
[0063]  上述したように、ＴＩＭ要素中に含まれる部分仮想ビットマップを符号化することは、（ＡＩＤ空間全体のビットを用いてビットマップを送信する「ベースライン機構」に対して）オーバーヘッドを低減するのを助け得る。しかしながら、符号化の結果として生じる再設計により、ベースライン機構は、複数ＢＳＳＩＤモードで動作している間、１つまたは複数のＢＳＳにおいてバッファされるトラフィックの指示を容易には可能にしないことがある。
【００５３】
[0064]  しかしながら、本開示の態様は、そのようなモードをサポートすることが可能な局（例えば、サブ１ＧＨｚ「Ｓ１Ｇ」ＳＴＡ）のために定義され得る符号化部分仮想ビットマップフィールドを使用することによって、システム（例えば、８０２．１１ａｈシステム）において複数ＢＳＳＩＤモードを可能にするためのシグナリング機構および他のグループキャストトラフィック配信機構を提供し得る。本明細書で使用するグループキャストという用語は、マルチキャストトラフィックおよびブロードキャストトラフィックなど、２つ以上の受信者にアドレス指定されるトラフィックを概して指す。本明細書で提示する技法は、複数のＢＳＳを識別するためにＡＩＤがそれから非ＡＰ  ＳＴＡに割り当てられる、ＡＩＤ空間を再利用する必要を回避し得る。以下でより詳細に説明されるように、本明細書で提示する技法は、符号化ＢＳＳブロックと呼ばれることがある、符号化ブロック中に含まれるＢＳＳ  ＡＩＤを使用することによってこれらのＢＳＳを識別し得る。
【００５４】
[0065]  図８は、本開示の態様による、装置によるワイヤレス通信のための例示的な動作８００を示す。動作８００は、アクセスポイントとして働く、局などの装置によって行われ得る。
【００５５】
[0066]  動作８００は、グループキャストトラフィックをバッファした１つまたは複数の基本サービスセット（ＢＳＳ）を示す部分仮想ビットマップフィールドを有する情報要素（ＩＥ）とともにフレームを生成することによって、８０２において開始し得、ここにおいて、部分仮想ビットマップフィールドは、グループキャストトラフィックをバッファした少なくとも１つの個々のＢＳＳを、個々のＢＳＳの識別子（例えば、ＢＳＳ  ＡＩＤ）を使用して識別する少なくとも１つの符号化サブフィールドを備える。８０４において、装置は、送信のためにＩＥを含んでいるフレームを出力する。
【００５６】
[0067]  図９は、本開示の態様による、装置によるワイヤレス通信のための動作９００のブロック図である。動作９００は、ＴＩＭ局などの装置によって行われ得る。
【００５７】
[0068]  動作９００は、情報要素（ＩＥ）を含んでいるフレームを受信することによって、９０２において開始し得、ここにおいて、ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、個々のＢＳＳの識別子を使用して識別する少なくとも１つの符号化サブフィールドとを備える。９０４において、部分仮想ビットマップに基づいて装置のためのバッファされたグループキャストトラフィックの存在を判定(determine)し、この判定に基づいて、バッファされたグループキャストトラフィックを受信するために少なくとも１つの電力状態を変更すべきか否かを決定(decide)する。
【００５８】
[0069]  いくつかの態様によれば、符号化サブフィールドは、符号化ブロックフィールドであり得、単一のＡＩＤサブフィールドを備え得、ＴＩＭ  ＩＥは、上記で説明したように個々のＢＳＳのＡＩＤ（ＢＳＳ  ＡＩＤ）を生成するためにＡＩＤサブフィールドと組合せ可能であるページインデックスフィールドおよびブロックオフセットフィールドをさらに備える。符号化ブロックフィールドは、単一のＡＩＤサブフィールドから導出された識別子が、個々のＢＳＳ（すなわち、ＢＳＳ  ＡＩＤ）のためのバッファされたグループキャストトラフィックを示すかどうか、またはそれが、単一のＡＩＤサブフィールドを使用してＡＩＤが構成され得る個々の局のためのユニキャストトラフィックを示すかどうかの（例えば、図１０に示されたＢＳＳインジケータビットを介した）指示を備える。場合によっては、個々のＢＳＳのＡＩＤ（ＢＳＳ  ＡＩＤ）の生成は、ページインデックスフィールドの１つまたは複数のビットのサブセットのみを使用する。そのような場合、個々のＢＳＳのＡＩＤの生成は、部分仮想ビットマップフィールドを搬送するＴＩＭ要素中に含まれるページインデックスフィールドのいくつかの未使用ビットの値ではなく、デフォルト値を使用する。
【００５９】
[0070]  場合によっては、本技法は、複数ＢＳＳＩＤ能力をサポートするシステムにおいて使用され得、動作の詳細は、システム中の局のカテゴリー上で（例えば、非Ｓ１Ｇ  ＳＴＡを含む第１のカテゴリーおよびＳ１Ｇ  ＳＴＡを含む第２のカテゴリーで）判定される。場合によっては、部分仮想ビットマップフィールドは、ＢＳＳＩＤビーコン、Ｓ１ＧビーコンまたはＤＭＧビーコンフレーム中で送信され得、送信されるかまたは送信されないＢＳＳＩＤに関連付けられた全ての局に配信されるべきトラフィックの存在または不在を示し得る。第１のカテゴリーでは、部分仮想ビットマップフィールド中のビットマップの最初の２ｎビットが、送信されるおよび全ての送信されないＢＳＳＩＤのためにグループアドレス指定されたフレームの指示のために予約され得る。第２のカテゴリーでは、部分仮想ビットマップフィールド中の最初の０個以上の符号化ブロックが、送信されるおよび全ての送信されないＢＳＳＩＤのためにグループアドレス指定されたフレームの指示のために予約され得る。第１のカテゴリーでは、ＡＩＤ空間が全てのＢＳＳによって共有され得、関連するＳＴＡに割り当てられた最も低いＡＩＤ値は２ｎであり得る。第２のカテゴリーの場合、関連するＳＴＡに割り当てられた最も低いＡＩＤは１であり得る。いずれの場合も、ＢＳＳ  ＡＩＤを含んでいる符号化ブロックは、部分仮想ビットマップフィールドに先行する、第１のブロックであり得る。第１のカテゴリーの場合、どのような符号化方法でも部分仮想ビットマップに適用され得ることに留意されたい。これらの場合、ＢＳＳ  ＡＩＤを取得するためにページインデックス値を無視するという同じ原理は、依然として有効である。
【００６０】
[0071]  場合によっては、複数ＢＳＳＩＤ能力が有効化されない（例えば、ｄｏｔ１１ＭｕｌｔｉＢＳＳＩＤＡｃｔｉｖａｔｅｄが偽であり、ｄｏｔ１１Ｓ１ＧｏｐｔｉｏｎImplementｅｄが偽である）とき、部分仮想ビットマップフィールドは、トラフィック指示仮想ビットマップのＮ１〜Ｎ２と番号付けられたオクテットからなり、ここで、Ｎ１は、トラフィック指示仮想ビットマップ中の１〜（Ｎ１×８）−１と番号付けられたビットが全て０であり得るような、最も大きい偶数であり、Ｎ２は、仮想ビットマップ中の（Ｎ２＋１）×８〜２００７と番号付けられたビットが全て０であるような、最も小さい数であり得る。この場合、ビットマップオフセットサブフィールド値は数Ｎ１／２を含んでいることがあり、長さフィールドは（Ｎ２−Ｎ１）＋４に設定される。
【００６１】
[0072]  場合によっては、複数ＢＳＳＩＤ能力が有効化されない（例えば、ｄｏｔ１１ＭｕｌｔｉＢＳＳＩＤＡｃｔｉｖａｔｅｄが真である）とき、ＴＩＭ要素の非Ｓ１Ｇ部分仮想ビットマップフィールドは次のように構築され、ここで、ＢＳＳＩＤの最大可能数は、２の整数べき乗であり、ｎ＝ｌｏｇ２（ＢＳＳＩＤの最大可能番号）であり、ｋは、実際にサポートされる、送信されないＢＳＳＩＤの数であり、ｋ≦（２n−１）である。これらの場合、ＴＩＭ要素の非Ｓ１Ｇ部分仮想ビットマップフィールドの最大サイズは２n−１である。
【００６２】
[0073]  非Ｓ１Ｇ  ＢＳＳでは、ビットマップのビット１〜ｋは、１つまたは複数のグループアドレス指定されたフレームが、送信されないＢＳＳＩＤに対応するＡＰごとにバッファされることを示すために使用され得る。１〜ｋのＡＩＤは、非Ｓ１Ｇ  ＳＴＡに割り振られない。非Ｓ１Ｇ  ＢＳＳでは、（ｋ＋１）〜（２n−１）のＡＩＤが予約され、０に設定され得る。残りのＡＩＤは、送信されるＢＳＳＩＤおよび全ての送信されないＢＳＳＩＤに対応する非Ｓ１Ｇ  ＢＳＳによって共有され得る。Ｓ１Ｇ  ＢＳＳでは、これらのビット、１〜ｋが、ＢＳＳ符号化ブロック中に含まれ得、ＢＳＳ  ＡＩＤとして識別される。この場合、ＢＳＳ  ＡＩＤは、ＡＩＤがそれから非ＡＰ  ＳＴＡに割り当てられるＡＩＤ空間の一部を形成しないことがある。ＡＩＤ空間は、送信されるＢＳＳＩＤおよび全ての送信されないＢＳＳＩＤに対応するＳ１Ｇ  ＢＳＳによって共有され得る。
【００６３】
[0074]  ＤＴＩＭカウントフィールドが、送信されないＢＳＳＩＤを有するＢＳＳについて０であり、１つまたは複数のグループアドレス指定されたフレームが、このＢＳＳのためにＡＰにおいてバッファされるとき、ビット１〜ビットｋの対応するビットは１に設定され得る。
【００６４】
[0075]  非Ｓ１Ｇトラフィック指示仮想ビットマップ中のビット２nから開始し、およびＳ１Ｇトラフィック指示仮想ビットマップ中のビット１から開始する各ビットは、ビーコンフレームが送信される時間において送信される、または送信されないＢＳＳＩＤに対応する任意のＢＳＳ内の特定のＳＴＡのためにバッファされた、個々にアドレス指定されたトラフィックに対応し得る。この対応はＳＴＡのＡＩＤに基づき得る。
【００６５】
[0076]  拡大能力要素中の対応するフィールドとトラフィック指示仮想ビットマップの内容とによって示される、複数ＢＳＳＩＤ能力をサポートするための、関連付けられた局の能力をＡＰが知っていることに基づいて、ＡＰは、部分仮想ビットマップと、ＴＩＭ要素のビットマップ制御フィールドとを、３つの以下の方法のうちの１つを使用して符号化し得、具体的な動作はシステム中の局のカテゴリーに依存する。
【００６６】
[0077]  例えば、第１のカテゴリーの局（例えば、非Ｓ１Ｇ）をもつシステムで、ＡＰは、トラフィック指示仮想ビットマップ中の各関連する非ＡＰ  ＳＴＡのビットが、正しく設定されれば、受信されたＴＩＭ要素から各非ＡＰ  ＳＴＡによって再構成され得るとＡＰが判定したとき、（以下の説明で方法Ｂと呼ぶ）１つの方法を使用し得る。そうでない場合、ＡＰは、（以下の説明で方法Ａと呼ぶ）第２の方法を使用し得、一方、第２のカテゴリーの局（例えば、Ｓ１Ｇ）をもつシステム中のＡＰは、（以下の説明で方法Ｃと呼ぶ）第３の方法を使用し得る。
【００６７】
[0078]  方法Ａによれば、部分仮想ビットマップフィールドは、トラフィック指示仮想ビットマップの０〜Ｎ２と番号付けられたオクテットからなり得、ここで、Ｎ２は、トラフィック指示仮想ビットマップ（＃２３４）中の（Ｎ２＋１）×８〜２００７と番号付けられたビットが全て０であるような、最も小さい数である。そのような値Ｎ２が存在しない場合、すなわち、トラフィック指示仮想ビットマップの最終オクテット中の全てのビットが０に等しいとは限らないとき、Ｎ２＝２５０である。この方法を使用するとき、ビットマップオフセットサブフィールド値は数０を含んでいることがあり、長さフィールドはＮ２＋４である。
【００６８】
[0079]  方法Ｂによれば、部分仮想ビットマップフィールドは、０〜Ｎ０−１と番号付けられたオクテットと、トラフィック指示仮想ビットマップのＮ１〜Ｎ２と番号付けられたオクテットの連結からなり得、ここで、Ｎ０は、Ｎ０×８−２ｎ＜８となるような最も小さい正の整数である。Ｎ０が奇数である場合、Ｎ１は、Ｎ０＜Ｎ１となり、ビットＮ０×８〜（Ｎ１×８−１）の各々が０に等しくなるような、最も大きい奇数である。Ｎ０が偶数であるとき、Ｎ１は、Ｎ０＜Ｎ１となり、ビットＮ０×８〜（Ｎ１×８−１）の各々が０に等しくなるような、最も大きい偶数である。そのような値Ｎ１＞Ｎ０が存在しない場合、Ｎ１＝Ｎ０である。さらに、Ｎ２は、トラフィック指示仮想ビットマップ（＃２３４）中のビット（Ｎ２＋１）×８〜２００７についての値が全て０である最も小さい整数値である。そのような値Ｎ２が存在しない場合、すなわち、トラフィック指示仮想ビットマップの最終オクテット中の全てのビットが０に等しいとは限らないとき、Ｎ２＝２５０である。この方法を使用するとき、ビットマップオフセットサブフィールド値は（Ｎ１−Ｎ０）／２の値を含んでおり、長さフィールドはＮ０＋Ｎ２−Ｎ１＋４である。
【００６９】
[0080]  本開示の態様によれば、方法Ｃによれば、部分仮想ビットマップフィールドは、ＢＳＳ  ＡＩＤを含んでいる符号化ブロックサブフィールドと、ＡＩＤを含んでいる符号化ブロックサブフィールドとの連結からなり得る。
【００７０】
[0081]  方法Ａと方法Ｂの両方について、サポートされる、送信されるまたは送信されないＢＳＳＩＤに対応するいずれかのＢＳＳのためにバッファされたフレームがないとき、部分仮想ビットマップフィールドは、０に等しい単一オクテットとして符号化され得、ビットマップオフセットサブフィールドは０であり、長さフィールドは４である。送信されるまたは送信されないＢＳＳＩＤに対応するいずれかのＢＳＳのためにバッファされた、個々にアドレス指定されたフレームはないが、ＢＳＳのうちの１つまたは複数のためにバッファされた、グループアドレス指定されたフレームはあるとき、非Ｓ１Ｇ部分仮想ビットマップフィールドはオクテット番号０〜Ｎ０−１からなり、ここで、Ｎ０は、（Ｎ０×８−２ｎ＜８）となるような最も小さい正の整数であり、一方、Ｓ１Ｇ部分仮想ビットマップフィールドは、ＢＳＳ  ＡＩＤを含んでいる１つまたは複数の符号化ブロックを含んでいる。この場合、ビットマップオフセットサブフィールド値は数０を含んでいることがあり、長さフィールドはＮ０＋３であり得る。
【００７１】
[0082]  場合によっては、Ｓ１Ｇシナリオで（例えば、ｄｏｔ１１Ｓ１ＧＯｐｔｉｏｎImplementｅｄが真であるとき）、部分仮想ビットマップフィールドは、その特定の符号化方法で符号化されるトラフィック指示仮想ビットマップ中の少なくとも１つのビットが１に等しい場合、１つまたは複数の符号化ブロックサブフィールドで構成され得る。この場合、符号化ブロックサブフィールドは、ブロック制御サブフィールドと、ブロックオフセットサブフィールドと、符号化ブロック情報サブフィールドとからなり得る。複数ＢＳＳＩＤが有効化される（例えば、ｄｏｔ１１ＭｕｌｔｉｐｌｅＢＳＳＩＤＡｃｔｉｖａｔｅｄが真である）とき、部分仮想ビットマップフィールドは、０個以上のＢＳＳ符号化ブロックサブフィールドを含んでいる。符号化モードサブフィールドは、ブロックビットマップモード、単一のＡＩＤモード、ＯＬＢ（オフセット、長さ、ビットマップ）モード、およびＡＤＥ（ＡＩＤ差分符号化）モードという、４つの符号化モードのうちの１つを示し得る。符号化ブロックは、単一のＡＩＤモードで符号化され、ＢＳＳ  ＡＩＤを含む（すなわち、それの符号化ブロック情報サブフィールドのＢＳＳインジケータサブフィールドは１に等しい）。符号化ＢＳＳブロックでない単一のＡＩＤモードをもつ符号化ブロックは、それのサブブロックのＢＳＳインジケータサブフィールドが０に等しい。他の方法も、上記に示されているように使用され得る。
【００７２】
[0083]  図１０に示されているように、符号化ブロック情報サブフィールド１０００は単一のＡＩＤサブフィールドからなり得る。一例として、単一のＡＩＤサブフィールドは、長さが６ビットであり、ブロック中に単一のＡＩＤの６つのＬＳＢを含んでいる。単一のＡＩＤがＢＳＳ  ＡＩＤを識別した場合、ＢＳＳインジケータは１に設定され得る。そうでない場合、ＢＳＳインジケータは０に設定され得る。符号化ブロック情報サブフィールドのビットの残りは予約され得る。ＢＳＳインジケータフィールドが０である場合、単一のＡＩＤサブフィールド中の値は、ＡＩＤがＮであるＳＴＡのためにバッファされたトラフィックを示し得、ここで、Ｎは、ＬＳＢからＭＳＢへの順序で、単一のＡＩＤサブフィールド（Ｎ［０：５]）と、ブロックオフセットフィールド（Ｎ［６：１０］）と、ページインデックスフィールド（Ｎ［１１：１２］）とを連結することによって構成され得る。ＢＳＳインジケータフィールドが１である場合、単一のＡＩＤサブフィールド中の値は、グループアドレス指定された１つまたは複数が、ＢＳＳ  ＡＩＤがＮであるＢＳＳのためにＡＰにおいてバッファされることを示し、ここで、Ｎは上記で説明したように構成され得るが、ページインデックスフィールド（Ｎ［１１：１２］）の値は０に等しい（すなわち、ＢＳＳ  ＡＩＤはビットマップ制御フィールド中のページインデックスフィールドの値に依存しない）。
【００７３】
[0084]  ＢＳＳインジケータフィールドが０である場合、単一のＡＩＤサブフィールド中の値は、ＡＩＤがＮであるＳＴＡのためにバッファされたトラフィックを示し得、ここで、Ｎは、ＬＳＢからＭＳＢへの順序で、単一のＡＩＤサブフィールド（Ｎ［０：５］）と、ブロックオフセットフィールド（Ｎ［６：１０］）と、ページインデックスフィールド（Ｎ［１１：１２］）とを連結することによって構成される。ＢＳＳインジケータフィールドが１である場合、単一のＡＩＤサブフィールド中の値は、グループアドレス指定されたトラフィックの１つまたは複数のタイプが、ＢＳＳ  ＡＩＤがＮであるＢＳＳのためにＡＰにおいてバッファされることを示し得、ここで、ページインデックスフィールド（Ｎ［１１：１２］）の値はデフォルト値であると仮定され得る（例えば、ＴＩＭ要素のビットマップ制御フィールド中のページインデックスフィールド値にかかわらず、これらのビットの一方または両方のために０のデフォルト値が仮定され得る）。
【００７４】
[0085]  上記で説明した方法の様々な動作は、対応する機能を行うことが可能な任意の好適な手段によって行われ得る。それらの手段は、限定はしないが、回路、特定用途向け集積回路（ＡＳＩＣ）、またはプロセッサを含む、様々なハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。例えば、図８および図９に示されている動作８００および動作９００は、それぞれ、図８Ａおよび図９Ａに示されている手段８００Ａおよび手段９００Ａに対応する。
【００７５】
[0086]  例えば、送信するための手段は、図２に示されたアクセスポイント１１０の送信機（例えば、送信機ユニット２２２）および／またはアンテナ２２４、あるいは図３に示された送信機３１０および／またはアンテナ３１６を備え得る。受信するための手段は、図２に示されたアクセスポイント１１０の受信機（例えば、受信機ユニット２２２）および／またはアンテナ２２４、あるいは図３に示された受信機３１２および／またはアンテナ３１６を備え得る。処理するための手段、判定するための手段、検出するための手段、走査するための手段、選択するための手段、生成するための手段、または動作を終了するための手段は、図２に示されたアクセスポイント１１０のＲＸデータプロセッサ２４２、ＴＸデータプロセッサ２１０、および／またはコントローラ２３０、あるいは図３で表されたプロセッサ３０４および／またはＤＳＰ３２０など、１つまたは複数のプロセッサを含み得る、処理システムを備え得る。
【００７６】
[0087]  いくつかの態様によれば、そのような手段は、高速関連付けを行うための上記で説明した（例えば、ハードウェアでまたはソフトウェア命令を実行することによって）様々なアルゴリズムを実施することによって、対応する機能を行うように構成される処理システムによって実施され得る。例えば、ウェイクアップ期間を識別するための手段は、（例えば、ＩＥを介して）構成に基づいてウェイクアップ期間を識別するアルゴリズムを行う処理システムによって実施され得、ウェイクアップ期間中に無線機能を有効化すべきかどうかを判定するための手段は、入力として、ウェイクアップ期間と、データの存在が示されたかどうかとを取るアルゴリズムを行う（同じまたは異なる）処理システムによって実施され得、一方、無線機能を有効化するための手段は、入力として、決定するための手段からの決定を取り、それに応じて無線機能を有効化／無効化するための信号を生成するアルゴリズムを行う（同じまたは異なる）処理システムで実施され得る。
【００７７】
[0088]  本明細書で使用する「判定(determining)」という用語は、多種多様な行為を包含する。例えば、「判定」は、計算、算出、処理、導出、調査、探索（例えば、テーブル、データベースまたは別のデータ構造での探索）、確認などを含み得る。また、「判定」は、受信（例えば、情報を受信すること）、アクセス（例えば、メモリ中のデータにアクセスすること）などを含み得る。また、「判定」は、解決、選択、選定、確立などを含み得る。
【００７８】
[0089]  本明細書で使用する受信機という用語は、（例えば、ＲＦフロントエンドの）ＲＦ受信機、または（例えば、バスを介して）ＲＦフロントエンドによって処理された構造物を受信するための（例えば、プロセッサの）インターフェースを指し得る。同様に、送信機という用語は、ＲＦフロントエンドのＲＦ送信機、または（例えば、バスを介して）送信のために構造物をＲＦフロントエンドに出力するための（例えば、プロセッサの）インターフェースを指し得る。
【００７９】
[0090]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の配列）を包含するものとする。
【００８０】
[0091]  本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を行うように設計されたそれらの任意の組合せを用いて実施または行われ得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８１】
[0092]  本開示に関連して説明した方法またはアルゴリズムのステップは、ハードウェアで直接具現化されるか、プロセッサによって実行されるソフトウェアモジュールで具現化されるか、またはその２つの組合せで具現化され得る。ソフトウェアモジュールは、当技術分野で知られている任意の形態の記憶媒体中に存在し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多くの命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００８２】
[0093]  本明細書で開示する方法は、説明した方法を達成するための１つまたは複数のステップまたは行為を備える。方法のステップおよび／または行為は、特許請求の範囲から逸脱することなく、互いに交換され得る。言い換えれば、ステップまたは行為の特定の順序が指定されていない限り、特定のステップおよび／または行為の順序および／または使用は、特許請求の範囲から逸脱することなく変更され得る。
【００８３】
[0094]  説明した機能は、ハードウェア、ソフトウェア、ファームウェア、またはそれらの任意の組合せで実施され得る。ハードウェアで実施される場合、例示的なハードウェア構成は、ワイヤレスノード中に処理システムを備え得る。処理システムは、バスアーキテクチャを用いて実施され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実施するために使用され得る。ユーザ端末１２０（図１参照）の場合、ユーザインターフェース（例えば、キーパッド、ディスプレイ、マウス、ジョイスティックなど）もまたバスに接続され得る。バスはまた、タイミングソース、周辺機器、電圧調整器、電力管理回路など、様々な他の回路をリンクし得るが、それらは当技術分野でよく知られており、従って、これ以上説明しない。
【００８４】
[0095]  プロセッサは、機械可読媒体に記憶されたソフトウェアの実行を含む、バスおよび一般的な処理を管理することを担当し得る。プロセッサは、１つまたは複数の汎用および／または専用プロセッサを用いて実施され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または任意の他の好適な記憶媒体、あるいはそれらの任意の組合せを含み得る。機械可読媒体はコンピュータプログラム製品において具現化され得る。コンピュータプログラム製品はパッケージング材料を備え得る。
【００８５】
[0096]  ハードウェア実施形態では、機械可読媒体が、プロセッサとは別個の処理システムの一部であり得る。しかしながら、当業者なら容易に諒解するように、機械可読媒体、またはそれの任意の部分は、処理システムの外部にあり得る。例として、機械可読媒体は、全てバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体、またはそれの任意の部分は、キャッシュおよび／または汎用レジスタファイルがそうであり得るように、プロセッサに統合され得る。
【００８６】
[0097]  処理システムは、全て外部バスアーキテクチャを介して他のサポート回路と互いにリンクされる、プロセッサ機能を提供する１つまたは複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を行うことができる回路の任意の組合せを用いて、実施され得る。当業者は、特定の適用例と、全体的なシステムに課される全体的な設計制約とに応じて、処理システムについて説明した機能を最適に実施する方法を理解されよう。
【００８７】
[0098]  機械可読媒体はいくつかのソフトウェアモジュールを備え得る。ソフトウェアモジュールは、プロセッサによって実行されたとき、処理システムに様々な機能を行わせる命令を含む。ソフトウェアモジュールは、送信モジュールと受信モジュールとを含み得る。各ソフトウェアモジュールは、単一の記憶デバイス中に存在するか、または複数の記憶デバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実施されることが理解されよう。
【００８８】
[0099]  ソフトウェアで実施される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）（登録商標）を含み、ディスク（disk）は、通常、データを磁気的に再生し、ディスク（disc）は、データをレーザーで光学的に再生する。従って、いくつかの態様では、コンピュータ可読媒体が非一時的コンピュータ可読媒体（例えば、有形媒体）を備え得る。さらに、他の態様では、コンピュータ可読媒体が、一時的コンピュータ可読媒体（例えば、信号）を備え得る。上記の組合せもコンピュータ可読媒体の範囲内に含まれるべきである。
【００８９】
[0100]  従って、いくつかの態様は、本明細書で提示する動作を行うためのコンピュータプログラム製品を備え得る。例えば、そのようなコンピュータプログラム製品は、本明細書で説明した動作を行うために１つまたは複数のプロセッサによって実行可能である命令をその上に記憶した（および／または符号化した）コンピュータ可読媒体を備え得る。いくつかの態様では、コンピュータプログラム製品がパッケージング材料を含み得る。
【００９０】
[0101]  さらに、本明細書で説明した方法および技法を行うためのモジュールおよび／または他の適切な手段は、適用可能な場合にユーザ端末および／または基地局によってダウンロードされ、および／または他の方法で取得され得ることを諒解されたい。例えば、そのようなデバイスは、本明細書で説明した方法を行うための手段の転送を容易にするためにサーバに結合され得る。代替的に、本明細書で説明した様々な方法は、ユーザ端末および／または基地局が記憶手段をデバイスに結合するかまたは提供すると様々な方法を得ることができるように、記憶手段（例えば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００９１】
[0102]  特許請求の範囲は、上記に示した厳密な構成および構成要素に限定されないことを理解されたい。上記で説明した方法および装置の構成、動作および詳細において、特許請求の範囲から逸脱することなく、様々な改変、変更および変形が行われ得る。
【図１】
2018110432.tif 000003
【図２】
2018110432.tif 000004
【図３】
2018110432.tif 000005
【図４】
2018110432.tif 000006
【図５】
2018110432.tif 000007
【図６Ａ】
2018110432.tif 000008
【図６Ｂ】
2018110432.tif 000009
【図６Ｃ】
2018110432.tif 000010
【図６Ｄ】
2018110432.tif 000011
【図７】
2018110432.tif 000012
【図８】
2018110432.tif 000013
【図８Ａ】
2018110432.tif 000014
【図９】
2018110432.tif 000015
【図９Ａ】
2018110432.tif 000016
【図１０】
2018110432.tif 000017
【手続補正書】
【提出日】平成30年3月12日(2018.3.12)
【手続補正１】
【補正対象書類名】明細書
【補正対象項目名】００１７
【補正方法】変更
【補正の内容】
【００１７】
【図１】本開示のいくつかの態様による、例示的なワイヤレス通信ネットワークの図である。
【図２】本開示のいくつかの態様による、例示的なアクセスポイントおよびユーザ端末のブロック図である。
【図３】本開示のいくつかの態様による、例示的なワイヤレスデバイスのブロック図である。
【図４】本開示のいくつかの態様による、リレーシステムの例示的なツリー構造を示す図である。
【図５】本開示のいくつかの態様による、トラフィック指示マップ（ＴＩＭ：traffic indication map）の例示的な階層構造を示す図である。
【図６Ａ】本開示のいくつかの態様による、ブロック符号化モードのための部分仮想ビットマップの例示的な構造を示す図である。
【図６Ｂ】本開示のいくつかの態様による、ブロック符号化モードのための部分仮想ビットマップの例示的な構造を示す図である。
【図６Ｃ】本開示のいくつかの態様による、ブロック符号化モードのための部分仮想ビットマップの例示的な構造を示す図である。
【図６Ｄ】本開示のいくつかの態様による、例示的な符号化タイプを示す図である。
【図７】本開示のいくつかの態様による、単一の関連付けＩＤ（ＡＩＤ）モードのための部分仮想ビットマップの例示的な構造を示す図である。
【図８】本開示のいくつかの態様による、ワイヤレス通信のための例示的な動作のブロック図である。
【図８Ａ】図８に示された動作を行うことが可能な例示的な手段を示す図である。
【図９】本開示のいくつかの態様による、ワイヤレス通信のための例示的な動作のブロック図である。
【図９Ａ】図９に示された動作を行うことが可能な例示的な手段を示す図である。
【図１０】本開示の態様による、部分仮想ビットマップの符号化ブロックのための例示的な構造を示す図である。
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
情報要素（ＩＥ）を含んでいるフレームを受信するためのインターフェースと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップフィールドに基づいて前記装置のためのバッファされたグループキャストトラフィックの存在を判定し、前記装置のためのバッファされたグループキャストトラフィックが存在するという判定に基づいて、前記バッファされたグループキャストトラフィックを受信するために少なくとも１つの電力状態を変更するように構成される処理システムと
を備え、
前記符号化サブフィールドは、単一の関連付け識別子サブフィールドまたは割当て識別子（ＡＩＤ）サブフィールドを備え、
前記ＩＥは、ページインデックスフィールドとブロックオフセットフィールドとをさらに備え、ここにおいて、前記ページインデックスフィールドと前記ブロックオフセットフィールドとは、前記個々のＢＳＳのＡＩＤを生成するために前記単一の関連付け識別子サブフィールドまたは前記単一のＡＩＤサブフィールドとともに使用される、ワイヤレス通信のための装置。
【請求項２】
前記処理システムは、前記ＩＥ中に含まれるページインデックスフィールドの全てのビットよりも少ないビットを使用して前記個々のＢＳＳの前記識別子をローカルに生成するようにさらに構成され、ここにおいて、前記判定は、前記ローカルに生成された識別子に基づく、請求項１に記載の装置。
【請求項３】
前記処理システムは、前記ＩＥ中に含まれるページインデックスフィールドの１つまたは複数のビットの実際値ではなく少なくとも１つのデフォルト値を有する前記個々のＢＳＳの前記識別子の１つまたは複数の最上位ビットを仮定するようにさらに構成される、請求項１に記載の装置。
【請求項４】
前記処理システムは、前記単一の関連付け識別子サブフィールドもしくは単一のＡＩＤサブフィールド、ページインデックスフィールド、またはブロックオフセットフィールドのうちの少なくとも１つに基づいて前記個々のＢＳＳのＡＩＤをローカルに生成するように構成される、請求項１に記載の装置。
【請求項５】
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールドまたは単一のＡＩＤサブフィールドに関連するＡＩＤ値が、デバイスのためのユニキャストトラフィックを示すか
の指示を備え、
前記処理システムは、前記指示に基づいて、前記ＩＥ中に含まれるページインデックスフィールドの１つまたは複数のビットの、実際値ではなく、少なくとも１つのデフォルト値を使用して前記個々のＢＳＳの前記ＡＩＤをローカルに生成するように構成される、請求項４に記載の装置。
【請求項６】
前記処理システムは、前記ＩＥ中に含まれるページインデックスフィールドの１つまたは複数のビットの、実際値ではなく、少なくとも１つのデフォルト値を仮定し、前記仮定に基づいて前記個々のＢＳＳの関連付け識別子または割当て識別子（ＡＩＤ）をローカルに生成するようにさらに構成される、請求項１に記載の装置。
【請求項７】
情報要素（ＩＥ）を含んでいるフレームを装置において受信することと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップフィールドに基づいて前記装置のためのバッファされたグループキャストトラフィックの存在を判定し、前記装置のためのバッファされたグループキャストトラフィックが存在すると判定された場合、前記バッファされたグループキャストトラフィックを受信するために少なくとも１つの電力状態を変更することと
を備え、
前記符号化サブフィールドは、単一の関連付け識別子サブフィールドまたは割当て識別子（ＡＩＤ）サブフィールドを備え、
前記ＩＥは、ページインデックスフィールドとブロックオフセットフィールドとをさらに備え、ここにおいて、前記ページインデックスフィールドと前記ブロックオフセットフィールドとは、前記個々のＢＳＳのＡＩＤを生成するために前記単一の関連付け識別子サブフィールドまたは前記単一のＡＩＤサブフィールドとともに使用される、ワイヤレス通信のための方法。
【請求項８】
前記判定することは、前記ＩＥ中に含まれるページインデックスフィールドの全てのビットよりも少ないビットを使用して前記個々のＢＳＳの前記識別子をローカルに生成することを備え、ここにおいて、前記判定は、前記ローカルに生成された識別子に基づく、請求項７に記載の方法。
【請求項９】
前記判定することは、前記個々のＢＳＳの前記識別子の１つまたは複数の最上位ビットを仮定することが、前記ＩＥ中に含まれるページインデックスフィールドの１つまたは複数のビットの実際値ではなく少なくとも１つのデフォルト値を有することを備える、請求項７に記載の方法。
【請求項１０】
前記方法は、前記単一の関連付け識別子サブフィールド、前記単一のＡＩＤサブフィールド、ページインデックスフィールド、またはブロックオフセットフィールドのうちの少なくとも１つに基づいて前記個々のＢＳＳのＡＩＤをローカルに生成することをさらに備える、請求項７に記載の方法。
【請求項１１】
前記符号化サブフィールドは、
前記単一の関連付け識別子サブフィールドまたは前記単一のＡＩＤサブフィールドに関連するＡＩＤ値が、前記個々のＢＳＳのためのバッファされたグループキャストトラフィックを示すか、それとも
前記単一の関連付け識別子サブフィールドまたは前記単一のＡＩＤサブフィールドに関連するＡＩＤ値が、デバイスのためのユニキャストトラフィックを示すか
の指示を備え、
前記指示に基づいて、前記ＩＥ中に含まれるページインデックスフィールドの１つまたは複数のビットの、実際値ではなく、少なくとも１つのデフォルト値を使用して前記個々のＢＳＳの前記ＡＩＤをローカルに生成する、請求項１０に記載の方法。
【請求項１２】
前記判定することは、前記ＩＥ中に含まれるページインデックスフィールドの１つまたは複数のビットの、実際値ではなく、少なくとも１つのデフォルト値を仮定することを備え、前記仮定に基づいて前記個々のＢＳＳの関連付け識別子または割当て識別子（ＡＩＤ）をローカルに生成する、請求項７に記載の方法。
【請求項１３】
ワイヤレス通信のための装置であって、
情報要素（ＩＥ）を含んでいるフレームを受信するための手段と、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップフィールドに基づいて前記装置のためのバッファされたグループキャストトラフィックの存在を判定し、前記装置のためのバッファされたグループキャストトラフィックが存在すると判定された場合、前記バッファされたグループキャストトラフィックを受信するために少なくとも１つの電力状態を変更するための手段と
を備え、
前記符号化サブフィールドは、単一の関連付け識別子サブフィールドまたは割当て識別子（ＡＩＤ）サブフィールドを備え、
前記ＩＥは、ページインデックスフィールドとブロックオフセットフィールドとをさらに備え、ここにおいて、前記ページインデックスフィールドと前記ブロックオフセットフィールドとは、前記個々のＢＳＳのＡＩＤを生成するために前記単一の関連付け識別子サブフィールドまたは前記単一のＡＩＤサブフィールドとともに使用される、ワイヤレス通信のための装置。
【請求項１４】
判定するための前記手段は、前記ＩＥ中に含まれるページインデックスフィールドの全てのビットよりも少ないビットを使用して前記個々のＢＳＳの前記識別子をローカルに生成し、ここにおいて、前記判定は、前記ローカルに生成された識別子に基づく、請求項１３に記載の装置。
【請求項１５】
判定するための前記手段は、前記単一の関連付け識別子サブフィールド、前記単一のＡＩＤサブフィールド、ページインデックスフィールド、またはブロックオフセットフィールドのうちの少なくとも１つに基づいて前記個々のＢＳＳのＡＩＤをローカルに生成する、請求項１３に記載の装置。
【請求項１６】
判定するための前記手段は、前記ＩＥ中に含まれるページインデックスフィールドの１つまたは複数のビットの、実際値ではなく、少なくとも１つのデフォルト値を仮定し、前記仮定に基づいて前記個々のＢＳＳの関連付け識別子または割当て識別子（ＡＩＤ）をローカルに生成する、請求項１３に記載の装置。
【請求項１７】
コンピュータ可読記憶媒体を備える装置によるワイヤレス通信のためのコンピュータプログラムであって、前記コンピュータ可読記憶媒体は、
情報要素（ＩＥ）を含んでいるフレームを装置において受信することと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップフィールドに基づいて前記装置のためのバッファされたグループキャストトラフィックの存在を判定し、前記装置のためのバッファされたグループキャストトラフィックが存在すると判定された場合、前記バッファされたグループキャストトラフィックを受信するために少なくとも１つの電力状態を変更することと
を行うように実行可能な命令を有し、
前記符号化サブフィールドは、単一の関連付け識別子サブフィールドまたは割当て識別子（ＡＩＤ）サブフィールドを備え、
前記ＩＥは、ページインデックスフィールドとブロックオフセットフィールドとをさらに備え、ここにおいて、前記ページインデックスフィールドと前記ブロックオフセットフィールドとは、前記個々のＢＳＳのＡＩＤを生成するために前記単一の関連付け識別子サブフィールドまたは前記単一のＡＩＤサブフィールドとともに使用される、コンピュータプログラム。
【請求項１８】
ワイヤレス局であって、
少なくとも１つのアンテナと、
情報要素（ＩＥ）を含んでいるフレームを、前記少なくとも１つのアンテナを介して受信するように構成される受信機と、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップフィールドに基づいて前記装置のためのバッファされたグループキャストトラフィックの存在を判定し、前記装置のためのバッファされたグループキャストトラフィックが存在すると判定された場合、前記バッファされたグループキャストトラフィックを受信するために少なくとも１つの電力状態を変更するように構成される処理システムと
を備え、
前記符号化サブフィールドは、単一の関連付け識別子サブフィールドまたは割当て識別子（ＡＩＤ）サブフィールドを備え、
前記ＩＥは、ページインデックスフィールドとブロックオフセットフィールドとをさらに備え、ここにおいて、前記ページインデックスフィールドと前記ブロックオフセットフィールドとは、前記個々のＢＳＳのＡＩＤを生成するために前記単一の関連付け識別子サブフィールドまたは前記単一のＡＩＤサブフィールドとともに使用される、ワイヤレス局。
【手続補正２】
【補正対象書類名】明細書
【補正対象項目名】００９１
【補正方法】変更
【補正の内容】
【００９１】
[0102]  特許請求の範囲は、上記に示した厳密な構成および構成要素に限定されないことを理解されたい。上記で説明した方法および装置の構成、動作および詳細において、特許請求の範囲から逸脱することなく、様々な改変、変更および変形が行われ得る。
以下に本願発明の当初の特許請求の範囲に記載された発明を付記する。
［Ｃ１］
グループキャストトラフィックをバッファした０個以上の基本サービスセット（ＢＳＳ）を示す部分仮想ビットマップフィールドを有する情報要素（ＩＥ）とともにフレームを生成するように構成される処理システムと、ここにおいて、前記部分仮想ビットマップフィールドが、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力するためのインターフェースと
を備える、ワイヤレス通信のための装置。
［Ｃ２］
前記個々のＢＳＳの前記識別子は、関連付け識別子または割当て識別子（ＡＩＤ）を備える、Ｃ１に記載の装置。
［Ｃ３］
前記処理システムは、前記ＩＥ中に含まれるページインデックスフィールドの１つまたは複数のビットの実際値ではなく、少なくとも１つのデフォルト値を有する前記個々のＢＳＳの前記識別子の１つまたは複数の最上位ビットを仮定するようにさらに構成される、Ｃ１に記載の装置。
［Ｃ４］
前記処理システムは、前記ＩＥ中に含まれるページインデックスフィールドの実際値ではなく、前記個々のＢＳＳの前記識別子の少なくとも２つの最上位ビットのために０のデフォルト値を仮定するようにさらに構成される、Ｃ１に記載の装置。
［Ｃ５］
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは前記単一のＡＩＤサブフィールドとともに使用され得る、Ｃ１に記載の装置。
［Ｃ６］
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールドまたは単一のＡＩＤサブフィールドに関連するＡＩＤ値が、デバイスのためのユニキャストトラフィックを示すか
の指示を備える、Ｃ５に記載の装置。
［Ｃ７］
前記少なくとも１つの符号化サブフィールドは、デバイスの関連付け識別子または割当て識別子に先行する、Ｃ１に記載の装置。
［Ｃ８］
ワイヤレス通信のための装置であって、
情報要素（ＩＥ）を含んでいるフレームを受信するためのインターフェースと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定するように構成される処理システムと
を備える、ワイヤレス通信のための装置。
［Ｃ９］
前記個々のＢＳＳの前記識別子は、関連付け識別子または割当て識別子（ＡＩＤ）を備える、Ｃ８に記載の装置。
［Ｃ１０］
前記処理システムは、前記ＩＥ中に含まれるページインデックスフィールドの全てのビットよりも少ないビットを使用して前記個々のＢＳＳの前記識別子をローカルに生成するようにさらに構成され、ここにおいて、前記判定は、前記ローカルに生成された識別子に基づく、Ｃ８に記載の装置。
［Ｃ１１］
前記処理システムは、前記ＩＥ中に含まれるページインデックスフィールドの１つまたは複数のビットの実際値ではなく少なくとも１つのデフォルト値を有する前記個々のＢＳＳの前記識別子の１つまたは複数の最上位ビットを仮定するようにさらに構成される、Ｃ８に記載の装置。
［Ｃ１２］
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記単一の関連付け識別子サブフィールドまたは単一のＡＩＤサブフィールドとともに使用され得、
前記処理システムは、前記単一の関連付け識別子サブフィールドもしくは単一のＡＩＤサブフィールド、ページインデックスフィールド、またはブロックオフセットフィールドのうちの少なくとも１つに基づいて前記個々のＢＳＳのＡＩＤをローカルに生成するように構成される、Ｃ８に記載の装置。
［Ｃ１３］
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールドまたは単一のＡＩＤサブフィールドに関連するＡＩＤ値が、デバイスのためのユニキャストトラフィックを示すか
の指示を備え、
前記処理システムは、前記指示に基づいて、前記ＩＥ中に含まれるページインデックスフィールドの１つまたは複数のビットの、実際値ではなく、少なくとも１つのデフォルト値を使用して前記個々のＢＳＳの前記ＡＩＤをローカルに生成するように構成される、Ｃ１２に記載の装置。
［Ｃ１４］
前記処理システムは、前記ＩＥ中に含まれるページインデックスフィールドの１つまたは複数のビットの、実際値ではなく、少なくとも１つのデフォルト値を仮定し、前記仮定に基づいて前記個々のＢＳＳの関連付け識別子または割当て識別子（ＡＩＤ）をローカルに生成するようにさらに構成される、Ｃ８に記載の装置。
［Ｃ１５］
装置によるワイヤレス通信のための方法であって、
グループキャストトラフィックをバッファした０個以上の基本サービスセット（ＢＳＳ）を示す部分仮想ビットマップフィールドを有する情報要素（ＩＥ）とともにフレームを装置において生成することと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力することと
を備える方法。
［Ｃ１６］
前記個々のＢＳＳの前記識別子は、関連付け識別子または割当て識別子（ＡＩＤ）を備える、Ｃ１５に記載の方法。
［Ｃ１７］
前記生成することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、Ｃ１５に記載の方法。
［Ｃ１８］
前記生成することは、前記ＩＥ中に含まれるページインデックスフィールドの実際値ではなく、前記個々のＢＳＳの前記識別子の少なくとも２つの最上位ビットのために０のデフォルト値を仮定することを備える、Ｃ１５に記載の方法。
［Ｃ１９］
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは単一のＡＩＤサブフィールドとともに使用され得る、Ｃ１５に記載の方法。
［Ｃ２０］
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールド単一のＡＩＤサブフィールドに関連するＡＩＤ値が、デバイスのためのユニキャストトラフィックを示すか
の指示を備える、Ｃ１９に記載の方法。
［Ｃ２１］
前記少なくとも１つの符号化サブフィールドは、デバイスの関連付け識別子または割当て識別子に先行する、Ｃ１５に記載の方法。
［Ｃ２２］
情報要素（ＩＥ）を含んでいるフレームを装置において受信することと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定することと
を備える、ワイヤレス通信のための方法。
［Ｃ２３］
前記個々のＢＳＳの前記識別子は、関連付け識別子または割当て識別子（ＡＩＤ）を備える、Ｃ２２に記載の方法。
［Ｃ２４］
前記判定することは、前記ＩＥ中に含まれるページインデックスフィールドの全てのビットよりも少ないビットを使用して前記個々のＢＳＳの前記識別子をローカルに生成することを備え、ここにおいて、前記判定は、前記ローカルに生成された識別子に基づく、Ｃ２２に記載の方法。
［Ｃ２５］
前記判定することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、Ｃ２２に記載の方法。
［Ｃ２６］
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは単一のＡＩＤサブフィールドとともに使用され得、
前記単一の関連付け識別子サブフィールド、前記単一のＡＩＤサブフィールド、ページインデックスフィールド、またはブロックオフセットフィールドのうちの少なくとも１つに基づいて前記個々のＢＳＳのＡＩＤをローカルに生成する、Ｃ２２に記載の方法。
［Ｃ２７］
前記符号化サブフィールドは、
前記単一の関連付け識別子サブフィールドまたは前記単一のＡＩＤサブフィールドに関連するＡＩＤ値が、前記個々のＢＳＳのためのバッファされたグループキャストトラフィックを示すか、それとも
前記単一の関連付け識別子サブフィールドまたは前記単一のＡＩＤサブフィールドに関連するＡＩＤ値が、デバイスのためのユニキャストトラフィックを示すか
の指示を備え、
前記指示に基づいて、前記ＩＥ中に含まれるページインデックスフィールドの１つまたは複数のビットの、実際値ではなく、少なくとも１つのデフォルト値を使用して前記個々のＢＳＳの前記ＡＩＤをローカルに生成する、Ｃ２６に記載の方法。
［Ｃ２８］
前記判定することは、前記ＩＥ中に含まれるページインデックスフィールドの１つまたは複数のビットの、実際値ではなく、少なくとも１つのデフォルト値を仮定することを備え、前記仮定に基づいて前記個々のＢＳＳの関連付け識別子または割当て識別子（ＡＩＤ）をローカルに生成する、Ｃ２２に記載の方法。
［Ｃ２９］
グループキャストトラフィックをバッファした０個以上の基本サービスセット（ＢＳＳ）を示す部分仮想ビットマップフィールドを有する情報要素（ＩＥ）とともにフレームを生成するための手段と、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力するための手段と
を備える、ワイヤレス通信のための装置。
［Ｃ３０］
前記生成することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、Ｃ２９に記載の装置。
［Ｃ３１］
前記符号化サブフィールドは、単一の関連付け識別子サブフィールドまたは割当て識別子（ＡＩＤ）サブフィールドを備え、
前記ＩＥがページインデックスフィールドとブロックオフセットフィールドをさらに備え、ここにおいて、前記ページインデックスフィールドと前記ブロックオフセットフィールドとが、前記個々のＢＳＳの前記ＡＩＤを生成するために前記単一の関連付け識別子サブフィールドまたは前記単一のＡＩＤサブフィールドとともに使用され得る、Ｃ２９に記載の装置。
［Ｃ３２］
前記少なくとも１つの符号化サブフィールドは、デバイスの関連付け識別子または割当て識別子に先行する、Ｃ２９に記載の装置。
［Ｃ３３］
ワイヤレス通信のための装置であって、
情報要素（ＩＥ）を含んでいるフレームを受信するための手段と、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定するための手段と
を備える、ワイヤレス通信のための装置。
［Ｃ３４］
判定するための前記手段は、前記ＩＥ中に含まれるページインデックスフィールドの全てのビットよりも少ないビットを使用して前記個々のＢＳＳの前記識別子をローカルに生成し、ここにおいて、前記判定は、前記ローカルに生成された識別子に基づく、Ｃ３３に記載の装置。
［Ｃ３５］
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記単一の関連付け識別子サブフィールドまたは前記単一のＡＩＤサブフィールドとともに使用され得、
前記単一の関連付け識別子サブフィールド、前記単一のＡＩＤサブフィールド、ページインデックスフィールド、またはブロックオフセットフィールドのうちの少なくとも１つに基づいて前記個々のＢＳＳのＡＩＤをローカルに生成する、Ｃ３３に記載の装置。
［Ｃ３６］
判定するための前記手段は、前記ＩＥ中に含まれるページインデックスフィールドの１つまたは複数のビットの、実際値ではなく、少なくとも１つのデフォルト値を仮定し、前記仮定に基づいて前記個々のＢＳＳの関連付け識別子または割当て識別子（ＡＩＤ）をローカルに生成する、Ｃ３３に記載の装置。
［Ｃ３７］
コンピュータ可読媒体を備える装置によるワイヤレス通信のためのコンピュータプログラム製品であって、前記コンピュータ可読媒体は、
グループキャストトラフィックをバッファした０個以上の基本サービスセット（ＢＳＳ）を示す部分仮想ビットマップフィールドを有する情報要素（ＩＥ）とともにフレームを生成することと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力することと
のための命令を有する、コンピュータプログラム製品。
［Ｃ３８］
コンピュータ可読媒体を備える装置によるワイヤレス通信のためのコンピュータプログラム製品であって、前記コンピュータ可読媒体は、
情報要素（ＩＥ）を含んでいるフレームを装置において受信することと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定することと
を行うように実行可能な命令を有する、コンピュータプログラム製品。
［Ｃ３９］
少なくとも１つのアンテナと、
グループキャストトラフィックをバッファした０個以上の基本サービスセット（ＢＳＳ）を示す部分仮想ビットマップフィールドを有する情報要素（ＩＥ）とともにフレームを生成するように構成される処理システムと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを、前記少なくとも１つのアンテナを介して送信するように構成される送信機と
を備える、アクセスポイント。
［Ｃ４０］
ワイヤレス局であって、
少なくとも１つのアンテナと、
情報要素（ＩＥ）を含んでいるフレームを、前記少なくとも１つのアンテナを介して受信するように構成される受信機と、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定するように構成される処理システムと
を備える、ワイヤレス局。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
装置によるワイヤレス通信のための方法であって、
グループキャストトラフィックをバッファした０個以上の基本サービスセット（ＢＳＳ）を示す部分仮想ビットマップフィールドを有する情報要素（ＩＥ）とともにフレームを装置において生成することと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力することと
を備え、
前記符号化サブフィールドは、単一の関連付け識別子サブフィールドまたは割当て識別子（ＡＩＤ）サブフィールドを備え、
前記ＩＥは、ページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは単一のＡＩＤサブフィールドとともに使用され得る
ことを特徴とする、方法。
【請求項２】
前記生成することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、請求項１に記載の方法。
【請求項３】
前記符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールド単一のＡＩＤサブフィールドに関連するＡＩＤ値が、デバイスのためのユニキャストトラフィックを示すかの指示を備える、請求項１に記載の方法。
【請求項４】
前記少なくとも１つの符号化サブフィールドは、デバイスの関連付け識別子または割当て識別子に先行する、請求項１に記載の方法。
【請求項５】
情報要素（ＩＥ）を含んでいるフレームを装置において受信することと、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定することと
を備え、
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳのＡＩＤを生成するために前記単一の関連付け識別子サブフィールドまたは単一のＡＩＤサブフィールドとともに使用され得る
ことを特徴とする、ワイヤレス通信のための方法。
【請求項６】
前記判定することは、前記ＩＥ中に含まれるページインデックスフィールドの全てのビットよりも少ないビットを使用して前記個々のＢＳＳの前記識別子をローカルに生成することを備え、ここにおいて、前記判定は、前記ローカルに生成された識別子に基づく、請求項５に記載の方法。
【請求項７】
前記方法は、
前記単一の関連付け識別子サブフィールド、前記単一のＡＩＤサブフィールド、ページインデックスフィールド、またはブロックオフセットフィールドのうちの少なくとも１つに基づいて前記個々のＢＳＳのＡＩＤをローカルに生成することをさらに備える、請求項５に記載の方法。
【請求項８】
前記符号化サブフィールドは、
前記単一の関連付け識別子サブフィールドまたは前記単一のＡＩＤサブフィールドに関連するＡＩＤ値が、前記個々のＢＳＳのためのバッファされたグループキャストトラフィックを示すか、それとも
前記単一の関連付け識別子サブフィールドまたは前記単一のＡＩＤサブフィールドに関連するＡＩＤ値が、デバイスのためのユニキャストトラフィックを示すかの指示を備え、
前記指示に基づいて、前記ＩＥ中に含まれるページインデックスフィールドの１つまたは複数のビットの、実際値ではなく、少なくとも１つのデフォルト値を使用して前記個々のＢＳＳの前記ＡＩＤをローカルに生成すること
を備える、請求項７に記載の方法。
【請求項９】
グループキャストトラフィックをバッファした０個以上の基本サービスセット（ＢＳＳ）を示す部分仮想ビットマップフィールドを有する情報要素（ＩＥ）とともにフレームを生成するための手段と、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備える、
送信のために前記ＩＥを含んでいる前記フレームを出力するための手段と
を備え、
前記符号化サブフィールドは、単一の関連付け識別子サブフィールドまたは割当て識別子（ＡＩＤ）サブフィールドを備え、
前記ＩＥは、ページインデックスフィールドとブロックオフセットフィールドをさらに備え、ここにおいて、前記ページインデックスフィールドと前記ブロックオフセットフィールドとは、前記個々のＢＳＳの前記ＡＩＤを生成するために前記単一の関連付け識別子サブフィールドまたは前記単一のＡＩＤサブフィールドとともに使用され得る
ことを特徴とする、ワイヤレス通信のための装置。
【請求項１０】
前記生成することは、前記個々のＢＳＳの前記識別子の１つまたは複数の最上位ビットを仮定することを備え、前記ＩＥ中に含まれるページインデックスフィールドの１つまたは複数のビットの実際値ではなく少なくとも１つのデフォルト値を有する、請求項９に記載の装置。
【請求項１１】
前記少なくとも１つの符号化サブフィールドは、デバイスの関連付け識別子または割当て識別子に先行する、請求項９に記載の装置。
【請求項１２】
ワイヤレス通信のための装置であって、
情報要素（ＩＥ）を含んでいるフレームを受信するための手段と、ここにおいて、前記ＩＥは、グループキャストトラフィックをバッファした０個以上の基本サービスセット（ＢＳＳ）を示す部分仮想ビットマップフィールドと、グループキャストトラフィックをバッファした少なくとも１つの個々のＢＳＳを、前記個々のＢＳＳの識別子の１つまたは複数のビットを使用して識別する少なくとも１つの符号化サブフィールドとを備える、
前記部分仮想ビットマップに基づいて前記装置のためのバッファされたグループキャストトラフィックの存在を判定し、前記判定に基づいて、前記バッファされたグループキャストトラフィックを受信するために少なくとも１つの電力状態を変更すべきか否かを決定するための手段と
を備え、
前記符号化サブフィールドは、単一の関連付け識別子サブフィールドまたは割当て識別子（ＡＩＤ）サブフィールドを備え、
前記ＩＥはページインデックスフィールドとブロックオフセットフィールドをさらに備え、ここにおいて、前記ページインデックスフィールドと前記ブロックオフセットフィールドとは、前記個々のＢＳＳの前記ＡＩＤを生成するために前記単一の関連付け識別子サブフィールドまたは前記単一のＡＩＤサブフィールドとともに使用され得る、
ことを特徴とする、ワイヤレス通信のための装置。
【請求項１３】
判定するための前記手段は、前記ＩＥ中に含まれるページインデックスフィールドの全てのビットよりも少ないビットを使用して前記個々のＢＳＳの前記識別子をローカルに生成し、ここにおいて、前記判定は、前記ローカルに生成された識別子に基づく、請求項１２に記載の装置。
【請求項１４】
判定するための前記手段は、前記ＩＥ中に含まれるページインデックスフィールドの１つまたは複数のビットの、実際値ではなく、少なくとも１つのデフォルト値を仮定し、前記仮定に基づいて前記個々のＢＳＳの関連付け識別子または割当て識別子（ＡＩＤ）をローカルに生成する、請求項１２に記載の装置。
【請求項１５】
コンピュータ上で起動されると、請求項１乃至８のいずれかに記載の方法を実行するための命令を備える、コンピュータプログラム。